(57)【要約】【目的】お腹回りが大きく変化する授乳前後などの乳幼児や妊婦が着用しても圧迫感のない快適な着心地が得られる衣服を提供する。【構成】パンツ部１の上端に縫合された伸縮自在のリブ部２が、一対の互いに独立して伸縮自在な略三角形状部分３ａ，３ｂを前で合わせたクロスリブ形態とされていて、着用者の腹部が膨らんだときにはそれに追従してリブ部が拡がり、また、お腹回りがゆるいときには該リブ部を折り返して着用可能である。さらに、股部に略円形の切り替え部５が縫合されており、おむつのためのスペースを確保すると共に股を横方向に開いたときにも追従可能とする。【選択図】図１ 
0003109102.tif 000002
【実用新案登録請求の範囲】
【請求項１】
パンツ部またはスカート部の上端に着用者の腹部を覆う伸縮自在のリブ部が縫合され、該リブ部は、一対の互いに独立して伸縮自在な略三角形状部分を前で合わせたクロスリブ形態とされていて、着用者の腹部が膨らんだときにはそれに追従してリブ部が拡がり、また、お腹回りがゆるいときには該リブ部を折り返して着用可能であることを特徴とする衣服。
【請求項２】
パンツ部の上端に着用者の腹部を覆う伸縮自在のリブ部が縫合され、該リブ部は、一対の互いに独立して伸縮自在な略三角形状部分を前で合わせたクロスリブ形態とされていて、着用者の腹部が膨らんだときにはそれに追従してリブ部が拡がり、また、お腹回りがゆるいときには該リブ部を折り返して着用可能であり、さらに、股部に略円形の切り替え部が縫合されており、おむつのためのスペースを確保すると共に股を横方向に開いたときにも追従可能としていることを特徴とするベビーパンツ。
【考案の詳細な説明】
【技術分野】
【０００１】
本考案はパンツないしズボン形式またはスカート形式の衣服に関し、特に乳幼児用（ベビーパンツ）または妊婦用（マタニティパンツ）として好適な衣服に関する。
【背景技術】
【０００２】
ベビーパンツとして、下記特許文献１に示されるように、ウエスト部分にシャーリングなどを施して伸縮自在としたものが主流となっている。
【特許文献１】http://shop.genesis-ec.com/search/item.asp?shopcd=05002&item=09-041-01-1
【考案の開示】
【考案が解決しようとする課題】
【０００３】
このような従来のベビーパンツにおいては、化学薬品に対する肌刺激から解放するために素材としてオーガニックコットンを用いたり、おむつの取り替えに便利なように股部から上方部分をフックなどで開放可能にするといった各種の工夫が提案されているものの、ウエスト部分については一般の（大人用の）衣服と同様のものであった。
【０００４】
このため、特に授乳の前後でお腹回りが大きく変化する授乳時期において、授乳後に腹部が窮屈となって圧迫されるという問題があった。あらかじめお腹回りを大きめに縫製すればこの問題は解決するが、反面、授乳前のようにお腹回りが小さいときに脱げやすくなり、また、見た目が悪くなって外出着に適さないものとなるといった別の問題が生じてしまう。
【０００５】
妊婦用のマタニティパンツにおいても同様の問題があった。
【０００６】
そこで本考案は、従来技術における上記問題に鑑み、お腹回りが大きく変化する授乳時期の乳幼児や妊婦が着用しても、そのお腹回りに応じて常にピッタリと、けれども圧迫感を感ずることなく着用することができるような新規な構成の衣服を提供することを課題とする。
【課題を解決するための手段】
【０００７】
この課題を解決するため、請求項１にかかる本考案は、パンツ部またはスカート部の上端に着用者の腹部を覆う伸縮自在のリブ部が縫合され、該リブ部は、一対の互いに独立して伸縮自在な略三角形状部分を前で合わせたクロスリブ形態とされていて、着用者の腹部が膨らんだときにはそれに追従してリブ部が拡がり、また、お腹回りがゆるいときには該リブ部を折り返して着用可能であることを特徴とする衣服である。
【０００８】
請求項２にかかる本考案は、パンツ部の上端に着用者の腹部を覆う伸縮自在のリブ部が縫合され、該リブ部は、一対の互いに独立して伸縮自在な略三角形状部分を前で合わせたクロスリブ形態とされていて、着用者の腹部が膨らんだときにはそれに追従してリブ部が拡がり、また、お腹回りがゆるいときには該リブ部を折り返して着用可能であり、さらに、股部に略円形の切り替え部が縫合されており、おむつのためのスペースを確保すると共に股を横方向に開いたときにも追従可能としたことを特徴とするベビーパンツである。
【考案の効果】
【０００９】
請求項１にかかる本考案によれば、パンツ部またはスカート部の上端に縫合されて着用者の腹部を覆う伸縮自在のリブ部が、一対の互いに独立して伸縮自在な略三角形状部分を前で合わせたクロスリブ形態とされているため、授乳直後の乳幼児のように腹部が膨らんだときにはそれに追従してリブ部が容易に拡がり、腹部を圧迫することなく着用可能である。また、お腹回りがゆるいときにはリブ部を折り返して着用可能であり、圧迫感を伴うことなく、適度の密着感で快適に着用することができる。
【００１０】
請求項２にかかる本考案によれば、上記効果に加えて、さらに、股部には略円形の切り替え部が縫合されているので、おむつのためのスペースを確保すると共に、股を横方向に開いたときにもそれに追従して脚の形に合わせて広がることができ、突っ張り感を与えることがないベビーパンツが提供される。
【考案を実施するための最良の形態】
【００１１】
図１は本考案の一実施形態によるベビーパンツを示し、パンツ部１の上端にクロスリブ２が縫合されている。これらは、コットンなどの天然繊維やポリエステルなどの合成繊維またはそれらの混合繊維から製造された伸縮自在の素材で形成されている。クロスリブ２は筒状ではなく、一対の互いに独立して伸縮自在な略三角形状部分３ａ，３ｂを前合わせにしたクロスリブ形態を有する。このようなクロスリブ形態とすることにより、このベビーパンツを着用する乳幼児のお腹回りが授乳などによって膨らんだときには、前方の一対の略三角形状部分３ａ，３ｂが互いに独立して動くことができるので、クロスリブ２の全体が無理なく拡がり、お腹に圧迫感を与えない（図２）。お腹が膨れるときは腹部全体が拡がるのではなく、腹部が前方に突出するように膨れるが、このクロスリブ２は上記形状的特徴により前方に突出しやすく且つ上端部４側が広く拡がるように設計されているので、授乳などによる腹部の膨れに対して効果的に追従することができる。
【００１２】
このように、クロスリブ２は上端部４側が広く拡がるように設計されているので、非着用時における形状としては、パンツ部１との縫合部から若干（角度にして約１０度）上方に向かうにつれて細くなるように形成されている。
【００１３】
授乳前などでお腹回りがゆるいときには、クロスリブ２を折り返して着用することができる（図３）。これによってお腹回りがゆるいときでもピッタリと着用することが可能となるが、この場合であっても独立して動くことができる一対の略三角形状部分３ａ，３ｂの前合わせ部分が存在することによって過度の締め付け感を与えることがなく、この状態で腹部が膨れても前述の作用と同様にして追従可能である。また、該一対の略三角形状部分３ａ，３ｂが独立して折り返し可能であるので、お腹回りの体型の変化に応じて折り方を調節することができる。
【００１４】
パンツ部１の股部には略円形の切り替え部であるサークルパッチ５が縫合されている。サークルパッチ５はおむつのためのスペースを確保するためのものであり、したがって、その大半部が後部にあって臀部を覆うように位置している。また、サークルパッチ５がパンツ部１の股部に縫合されていることにより、このベビーパンツを着用する乳幼児が股を横方向に開いたときにもそれに追従して脚の形に合わせて広がることができ、突っ張り感を与えることがない。
【００１５】
以上において本考案の一実施形態としてベビーパンツについて詳細に説明したが、本考案はこれに限定されるものではなく、実用新案登録請求の範囲に記載された考案の範囲内において様々な変形態様を取り得る。たとえば、臨月に向けて徐々にお腹回りが大きくなっていく妊婦のためのマタニティパンツとしての実施形態も本考案の範囲内である。この場合、お腹回りが小さいときは図３に示すようにクロスリブ２を折り返して着用し、該着用形態ではきつくなってきたらクロスリブ２の折り返しを解いて図２のようにして着用する。さらに、本考案はパンツ形式の衣服に限らず、スカート形式の衣服に適用することも可能である。
【図面の簡単な説明】
【００１６】
【図１】本考案の一実施形態による乳幼児用衣服（ベビーパンツ）を示す図であって、（Ａ）は前から見た図、（Ｂ）は後から見た図である。
【図２】このベビーパンツを着用する乳幼児のお腹回りが膨れたときにそれに追従してリブ部が拡がった状態を示す図であって、（Ａ）は前から見た図、（Ｂ）は横から見た図である。
【図３】このベビーパンツのリブ部を折り返して着用した状態図である。
【符号の説明】
【００１７】
１  ベビーパンツ
２  リブ部（クロスリブ）
３ａ，３ｂ  一対の略三角形状部分
４  リブ部（クロスリブ）の上端部
５  股部の略円形切り替え部（サークルパッチ）
【図１】
0003109102.tif 000003
【図２】
0003109102.tif 000004
【図３】
0003109102.tif 000005